(57)【要約】【課題】ＳＩ／ＰＳＩの情報を多重した状態でパーシャルＴＳ化し、かつビットレートを任意の値に調整することで、番組関連情報（ＳＩ／ＰＳＩ）を送出しつつ、記録機器の容量に応じてビットレートを変動させることが可能なデジタル放送受信装置を提供する。【解決手段】トランスポートストリームを受信するデジタル放送受信装置において、デジタル映像信号をアナログ信号に変換し、当該アナログ映像信号の画素数を任意の画素数に変更してデジタル信号に変換し、当該デジタル映像信号、デジタル音声信号及び対応する番組関連情報を合成してパーシャルトランスポートストリームを生成して記録装置へ出力する。【選択図】  図１
2004228631.tif 000002
【特許請求の範囲】
【請求項１】
トランスポートストリームをデジタル映像信号、デジタル音声信号及び番組関連情報に分離する分離手段と、前記分離手段からの番組関連情報を記憶する記憶手段と、前記分離手段からのデジタル映像信号及びデジタル音声信号をアナログ信号に変換する第１の変換手段と、前記第１の変換手段からのアナログ映像信号の画素数を所定条件に基づき変更する変更手段と、前記第１の変換手段からのアナログ音声信号と前記変更手段からのアナログ映像信号をデジタル信号に変換する第２の変換手段と、前記第２の変換手段からのデジタル映像信号及びデジタル音声信号と、前記記憶手段からの番組関連情報のうち、当該デジタル映像信号及びデジタル音声信号に対応した番組関連情報とを合成してパーシャルトランスポートストリームを生成する生成手段と、前記生成手段からのパーシャルトランスポートストリームを出力する出力手段とを具備することを特徴とするデジタル放送受信装置。
【請求項２】
前記所定条件は、水平解像度、垂直解像度、フレーム周波数であることを特徴とする請求項１記載のデジタル放送受信装置。
【請求項３】
前記所定条件を変更する条件変更手段を更に具備することを特徴とする請求項１記載のデジタル放送受信装置。
【発明の詳細な説明】
【０００１】
【発明の属する技術分野】
本発明は、記録装置を接続することで受信したデジタル放送をデジタル信号の状態で送出し、記録装置に記録させることを可能とするデジタル放送受信装置に関するものである。
【０００２】
【従来の技術】
近年、デジタル放送が実施されることで映像や音声の放送コンテンツをデジタル信号の状態で記録する機器が実用化されている。さらにＭＰＥＧ−ＴＳ形式で運用されているデジタル放送の番組データからユーザーが選択した番組のみをパーシャルＴＳ化してデジタルストリームの形式の状態で記録機器に録画するシステムについても実用化されている（例えば、特許文献１参照）。
【０００３】
【特許文献１】
特開平１１−２３９１８６号公報
【０００４】
【発明が解決しようとする課題】
前述のようなデジタル放送の番組をパーシャルＴＳ化して記録装置に送出する場合に、ハイビジョン放送などの高いビットレートの番組を記録するためには、大容量の記録装置が必要である。
【０００５】
従来の技術では、デジタル放送受信装置でハイビジョン番組をＮＴＳＣなどの、標準解像度の映像にダウンコンバートさせアナログ映像端子に出力した後、そのアナログ端子と、ＭＰＥＧエンコード機能付デジタル記録装置の外部入力端子に接続し、デジタル記録装置でＭＰＥＧエンコードするビットレートを設定することでビットレートの調整しながら、記録することが可能であった。
【０００６】
しかしながら、従来の手法では一旦、アナログ映像信号に変換しているため、ＳＩ／ＰＳＩなどの番組に付属する情報を同時に伝送することが困難であった。
【０００７】
本発明は、上記事情に鑑みて成されたもので、ＳＩ／ＰＳＩの情報を多重した状態でパーシャルＴＳ化し、かつビットレートを任意の値に調整することで、番組関連情報（ＳＩ／ＰＳＩ）を送出しつつ、記録機器の容量に応じてビットレートを変動させることが可能なデジタル放送受信装置を提供することを目的とする。
【０００８】
【課題を解決するための手段】
本発明の請求項１に係るデジタル放送受信装置は、トランスポートストリームをデジタル映像信号、デジタル音声信号及び番組関連情報に分離する分離手段と、分離手段からの番組関連情報を記憶する記憶手段と、分離手段からのデジタル映像信号及びデジタル音声信号をアナログ信号に変換する第１の変換手段と、第１の変換手段からのアナログ映像信号の画素数を所定条件に基づき変更する変更手段と、第１の変換手段からのアナログ音声信号と変更手段からのアナログ映像信号をデジタル信号に変換する第２の変換手段と、第２の変換手段からのデジタル映像信号及びデジタル音声信号と、記憶手段からの番組関連情報のうち、当該デジタル映像信号及びデジタル音声信号に対応した番組関連情報とを合成してパーシャルトランスポートストリームを生成する生成手段と、生成手段からのパーシャルトランスポートストリームを出力する出力手段とを具備することを特徴とする。
【０００９】
また、請求項２に係るデジタル放送受信装置は、請求項１の構成において、所定条件は、水平解像度、垂直解像度、フレーム周波数であることを特徴とする。
【００１０】
また、請求項３に係るデジタル放送受信装置は、請求項１の構成において、所定条件を変更する条件変更手段を更に具備することを特徴とする。
【００１１】
これにより、パーシャルＴＳ化するソース源を復号されたＭＰＥＧ−ＴＳから入力するか、またはＭＰＥＧデコードされた後にＭＰＥＧエンコードされたストリームから入力するかは、ユーザーが記録機器の状態に応じて選択できる。また、ＭＰＥＧデコードされた映像データを水平解像度、垂直解像度、フレーム周波数をユーザーが選択できる。
【００１２】
【発明の実施の形態】
以下に、本発明の実施の形態について、図を用いて説明する。図１に本発明のデジタル放送受信装置の構成図を示す。
【００１３】
ユーザーがリモコンを操作することによって、リモコン信号受光部１５より、それぞれの操作に応じたリモコン信号が入力される。入力されたリモコン信号は、リモコン受信回路１０によって受信され、マイクロコンピュータ０８に送られる。マイクロコンピュータ０８は入力されたリモコン信号に対応した操作を実現するために、デジタル放送受信装置内のさまざまな回路を制御する。
【００１４】
ユーザーが視聴中のデジタル放送の番組を、パーシャルＴＳ出力端子１２と接続された記録機器に対してデジタル録画する際に、録画に対応したリモコン操作をおこなうことにより、先述の経路によってマイクロコンピュータ０８で制御すべきコマンドが解釈され、以下に示す制御を行う。
【００１５】
ユーザー操作により、番組の選択が行われた際に、フロントエンド回路０１を制御して、受信した放送波を捕捉し、ＭＰＥＧ２トランスポートデコード回路０２にて視聴する番組に対応した映像、音声、ＳＩ／ＰＳＩ情報を抽出し、ＭＰＥＧ信号切換スイッチ３１を操作することにより、パーシャルＴＳ変換回路０７にデータを録画するために抽出されたデータを送り、信号をパーシャルＴＳに変換し、パーシャルＴＳ出力端子１２を通じて外部の記録装置にストリームを送出する。
【００１６】
ところが、上記の制御では、パーシャルＴＳ出力端子１２から送出されるストリームのビットレートは放送される映像、音声、ＳＩ／ＰＳＩの情報によって一意に決まってしまうため、ハイビジョン放送のような高いビットレートの番組を録画する際は、外部機器に必要な記録容量が増大する。本発明では以下の手順により、ビットレートを調整することを可能とする。
【００１７】
ユーザーが操作するリモコンに、録画機器へストリームを出力する際のビットレートの指定を行うための機能を設け、それに対応したリモコンコードをマイクロコンピュータ０８が以下の制御を行うことにより、ビットレートを調整することを可能にする。
【００１８】
リモコンコードを受信して、ＭＰＥＧ２トランスポートデコード回路０２を制御して、録画したい番組を指定するところについては前述の制御手順と同じである。
【００１９】
ＭＰＥＧ２トランスポートデコード回路０２で抽出された映像、音声データは、デジタル放送受信装置から視聴するためにＭＰＥＧＡＶデコード回路０３に信号が送られＭＰＥＧデコードされる。ＭＰＥＧデコードされた信号はＡＤコンバータ回路０４を通して、アナログ音声出力端子１３、アナログ映像出力端子１４からモニターディスプレイ、またはスピーカに出力され、選択した番組の視聴を可能とする。
【００２０】
一方、記録機器への出力するストリームについては、ＭＰＥＧＡＶデコード回路０３でＭＰＥＧデコードされた後の映像、音声のデータから生成する。具体的には音声データはＭＰＥＧＡＶデコード回路０３のデコードデータを再度、ＭＰＥＧ２方式にエンコードするため、ＭＰＥＧ２エンコード回路０６に入力する。
【００２１】
一方、映像データはＭＰＥＧＡＶデコード回路０３の出力を画素数変換回路０５に入力し、ユーザーが指定するストリームビットレート、または録画モードに応じて、水平解像度、垂直解像度、フレーム周波数を変更して情報量を削減する。画素数変換により情報量が削減された映像データはＭＰＥＧ２エンコード回路０６に入力され、先の音声データと併せてＭＰＥＧ２の信号にエンコードされる。
【００２２】
従って、ＭＰＥＧ２エンコード回路０６でエンコードされたデータ量は、画素数変換回路０５で設定した画素数変換を行うことにより、放送を受信して映像、音声を抽出し、ＭＰＥＧＡＶデコード回路０３に入力されたときのビットレートよりも、低くなり画素数を変換するパラメータをさまざまな値に設定することによってビットレートの調整が可能となる。
【００２３】
ＭＰＥＧ２エンコード回路０６で再びＭＰＥＧ２のデータにエンコードされた信号は、ＭＰＥＧ信号切換スイッチ３１を操作することによってパーシャルＴＳ変換回路０７に入力される。さらに、ＭＰＥＧ２トランスポートデコード回路０２で抽出され、記録メモリー０９に格納されているＳＩ／ＰＳＩの情報は録画出力用に加工されて、パーシャルＴＳ変換回路０７でＭＰＥＧ２エンコード回路０６から入力された信号に多重し、パーシャルＴＳに変換し、パーシャルＴＳ出力端子１２から出力する。
【００２４】
これによって映像、音声だけではなく、記録装置に送出する番組に関する付属情報を合わせて送出することが可能となる。これらの制御を応用すると、パーシャルＴＳ出力端子１２で接続された記録装置の記録容量を受信することで、ユーザーが指定した現在放送受信中の番組を記録装置の残量に納まるようにビットレートを計算して、ＭＰＥＧ信号切換スイッチ３１の操作と、画素数変換回路０５のパラメータを動的に制御することで、放送のビットレートに関わらず記録装置の容量に応じた記録が可能となる。
【００２５】
【発明の効果】
本発明によって、デジタル放送をパーシャルＴＳ化して記録装置に録画する際に、放送のビットレートにかかわらず、記録装置の容量に応じた記録が可能となり、記録装置の容量削減が可能となる。
【００２６】
また、ビットレートを調整した場合でも、ビットレートを調整せずにＳＩ／ＰＳＩ情報を多重することが可能なため、番組の関連情報について従来通りに記録装置に送出することが可能となる。
【図面の簡単な説明】
【図１】本発明の実施の形態によるデジタル放送受信装置の構成図
【符号の説明】
０１  フロントエンド回路
０２  ＭＰＥＧ２トランスポートデコード回路
０３  ＭＰＥＧＡＶデコード回路
０４  ＡＤコンバータ回路
０５  画素数変換回路
０６  ＭＰＥＧ２エンコード回路
０７  パーシャルＴＳ変換回路
０８  マイクロコンピュータ
０９  記憶メモリー
１０  リモコン受信回路
１１  アンテナ入力端子
１２  パーシャルＴＳ出力端子
１３  アナログ音声出力端子
１４  アナログ映像出力端子
１５  リモコン信号受光部
３１  ＭＰＥＧ信号切換スイッチ
【図１】
2004228631.tif 000003